(57)【要約】      （修正有）【課題】竹片を積み重ねるとともに複数個の竹片を並設して竹材が有する強靱な弾力性を損なうことなく十分な強度を有し反りの発生を防止する竹集成材を提供する。【解決手段】本竹集成材は、竹材でできた断面矩形状の上片１と下片２とを積み重ねるとともに複数個の上片１および下片２のそれぞれを平板となるように並設してなる竹集成材であって、上片１の上面を竹材の表皮側とし節側の略中央に形成された凸条片１Ａと下片２の下面を竹材の表皮側とし節側の略中央に形成された凸条片２Ａとを当接することによりできた上片１の空間部１Ｂと下片２の空間部２Ｂとが連通した空間部に楔３が接着剤にて固着された平坦な竹集成材１００を構成して、この楔３にて上片１と下片２との積み重ねや並設が確実になる。【選択図】図１
0003149365.tif 000002
【実用新案登録請求の範囲】
【請求項１】
竹材でできた断面矩形状の上片１と下片２とを積み重ねるとともに複数個の上片１および下片２のそれぞれを平板となるように並設してなる竹集成材であって、上片１と、下片２と、上片１の上面を竹材の表皮側とし節側の略中央に形成された凸条片１Ａと下片２の下面を竹材の表皮側とし節側の略中央に形成された凸条片２Ａとを当接することによりできた上片１の空間部１Ｂと下片２の空間部２Ｂとが連通した空間部４と、この空間部４に設けかつ接着剤にて固着された楔３とからなることを特徴とする竹集成材。
【請求項２】
楔３は竹材でできたことを特徴とする請求項１記載の竹集成材。
【考案の詳細な説明】
【技術分野】
【０００１】本考案は竹片を積み重ねるとともに複数個の竹片を並設してなる竹集成材に関する。
【背景技術】
【０００２】従来、竹片を組み合わせた竹集成材は、竹材が有する強靱な弾力性を損なうことなく十分な強度を有する素材として種々提案されている。【０００３】例えば、接着剤を用いた竹集成材として、特許文献１に記載のように、竹材が有する強靱な弾力性を損なうことなく十分な強度を有する竹集成材として、加工原材料の竹材を繊維方向に適宜分割し、該分割された断面弧状の竹材を平板状に切削し、その後、接合面に接着剤を塗布し、該平板状の複数の竹材を並接して相互に張り合わせて接着面を加圧して柱・棒状あるいは面状にした竹集成材が提案されている。【０００４】一方、接着剤を用いない竹集成材として、例えば、特許文献２に記載のように、複数の長竹材の各長竹材の傾斜した斜面に突条と溝を形成してこの突条を溝に差し込むことにより、複数の長竹材がその幅方向に接合されて１枚の板状としたかまぼこ板を例とした竹集成材が提案されている。【０００５】また、楔を用いた竹集成材として、特許文献３に記載のように、複数の木製または竹製の原板を重ね合わせこれを縦断して得られた集成板からなる複数の木製または竹製の単位板の厚み面を相互に接着接合させるにあたり、単位板の厚み中間位置に異なる縦断原板を縫い刺し状に穿穴させて複数の嵌合長穴を形成し、接合すべき両単位板の嵌合長穴に同時に嵌合するように楔に相当する竹製中芯部材を圧入嵌挿させ、厚み面を突き合わせて両単位板を接着接合させ、任意の大きさの板材を形成することにより、竹製中芯部材が個々の縦断原板と圧着接合して板材の強度を向上させるようにした板材を例とした竹集成材が提案されている。【０００６】さらに、特許文献４に記載のように、竹や藤からなる複数個の細長形状の表皮片を並列せしめてなる表皮部材と、該表皮部材の底面に設けられる基材からなる床材の底面には、並列された表皮片の長手方向と直交する方向に、複数本の条溝を設けて、接着剤から発生する揮発成分や、湿気によっても反り等の変形を生じにくくした床材を例とした竹集成材が提案されている。【０００７】
【特許文献１】特開平１０−１６６３１２号公報
【特許文献２】実開平６−１３４９４号公報
【特許文献３】特開２００１−５８３０６号公報
【特許文献４】特開２００６−７６４８号公報
【考案の開示】
【考案が解決しようとする課題】
【０００８】しかしながら、特許文献１、特許文献２および特許文献３により提案された竹集成材は、竹片を組み合わせて補強されているが、竹材は湿度の影響を受け易く、湿度によって反り等の変形を生ずることの配慮がされていない。特に、特許文献１および特許文献３のように接着剤を用いて接合した竹集成材にあっては、湿気以外にも接着剤に含まれる揮発成分による反りが発生することを防止する配慮がされていない。【０００９】そこで、特許文献４に記載されているように複数本の条溝により、湿度が変化しても竹集成材に相当する床材全体としては、殆んど変形せず、床材を接着剤で下地面に接着する際、床材は接着剤から溶剤等の揮発成分が揮発しても変形しないとの提案であるが、複数本の条溝が設けられたままであるので、竹集成材としては強度面では不十分である。【００１０】本考案は上記問題点を解消し、竹片を積み重ねるとともに複数個の竹片を並設して竹材が有する強靱な弾力性を損なうことなく十分な強度を有し、反りの発生を防止する竹集成材を提供することを目的とする。
【課題を解決するための手段】
【００１１】本考案の請求項１記載の竹集成材は、竹材でできた断面矩形状の上片１と下片２とを積み重ねるとともに複数個の上片１および下片２のそれぞれを平板となるように並設してなる竹集成材であって、上片１と、下片２と、上片１の上面を竹材の表皮側とし節側の略中央に形成された凸条片１Ａと下片２の下面を竹材の表皮側とし節側の略中央に形成された凸条片２Ａとを当接することによりできた上片１の空間部１Ｂと下片２の空間部２Ｂとが連通した空間部４と、この空間部４に設けかつ接着剤にて固着された楔３とからなることを特徴とする。【００１２】本考案の請求項２記載の竹集成材は、さらに、前記楔３は竹材でできたことを特徴とする。
【考案の効果】
【００１３】上記のように本考案の竹集成材は、竹材でできた断面矩形状の上片１と下片２とを積み重ねるとともに複数個の上片１および下片２のそれぞれを平板となるように並設してなる竹集成材であって、上片１と、下片２と、上片１の上面を竹材の表皮側とし節側の略中央に形成された凸条片１Ａと下片２の下面を竹材の表皮側とし節側の略中央に形成された凸条片２Ａとを当接することによりできた上片１の空間部１Ｂと下片２の空間部２Ｂとが連通した空間部４と、この空間部４に設けかつ接着剤にて固着された楔３とからなり、上片１と下片２が竹材の表皮が逆さになっているので、竹素材の反り発生を吸収するとともに、空間部４には楔３が設けられているので、竹材でできた一対の上片１と下片２との積み重ねおよび並設を接着剤とともに行って、この楔３にて上片１と下片２との積み重ねや並設が確実になり、竹材が有する強靱な弾力性を損なうことなく十分な強度を有することができる。さらに、前記楔３は竹材でできているので、竹材が有する強靱な弾力性を損なうことなくしかも、竹材は生育期間サイクルが短いので、生育期間サイクルの長い木材でできた楔に比し森林資源の枯渇を防止でき、合成樹脂材や金属材でできた楔に比し、安価でかつ廃棄処理がしやすいなどの効果がある。
【考案を実施するための最良の形態】
【００１４】本考案の実施形態を図１から図５に基づいて以下、説明する。【００１５】（実施形態）
図１において、竹材でできた複数個（この実施形態では６個）の断面矩形状の上片１が横並びに並設されている。この上片１は図２に示すように、竹を竹繊維に沿って割裂した竹素材５から表皮側を上面として内側の節側（以下、節側という）の略中央に竹繊維の方向に沿って切除加工されて突出した凸条片１Ａの形成により、凸条片１Ａの左右には空間部１Ｂが形成されている。また、下片２は図３に示すように、同様に、竹を竹繊維に沿って割裂した竹素材５から表皮側を下面として内側の節側（以下、節側という）の略中央に竹繊維の方向に沿って切除加工されて突出した凸条片２Ａの形成により、凸条片２Ａの左右には空間部２Ｂが形成されている。この場合、凸条片１Ａと凸条片２Ａとは同じ大きさで、凸条片１Ａおよび凸条片２Ａの幅Ａはその左側の空間部１Ｂおよび空間部２Ｂの幅Ｂと同じであり、右側の空間部１Ｂおよび空間部２Ｂの幅Ｃと同じである。即ち、幅Ａ＝幅Ｂ＝幅Ｃである。また、凸条片１Ａおよび凸条片２Ａの高さＥは凸条片１Ａおよび凸条片２Ａのそれぞれの空間部１Ｂおよび空間部２Ｂを形成するために切除加工された上片１および下片２における竹材の厚みＤに同じである。即ち、高さＥ＝厚みＤである。このような幅Ａ、ＢおよびＣ並びに厚みＤおよび高さＥとの関係は一つの実施形態であり、任意の大きさに設定してもよい。【００１６】このように形成された上片１の凸条片１Ａと下片２の凸条片２Ａとを図４の矢印Ｐ方向に当接して積み重ねる。この場合、熱硬性を有する環境保全型の尿素樹脂系接着剤や人体に有害な物質の含まれていないフェノール系の接着剤や木工用接着剤などの接着剤を上片１の凸条片１Ａと下片２の凸条片２Ａの接合面に塗布して上片１の凸条片１Ａと下片２の凸条片２Ａとを接着接合して上片１と下片２とを積み重ねてもよい。【００１７】図１において、上片１の上面を竹材の表皮側とし節側の略中央に形成された凸条片１Ａと下片２の下面を竹材の表皮側とし節側の略中央に形成された凸条片２Ａとを当接することにより、上片１および下片２にはそれぞれ空間部１Ｂおよび空間部２Ｂが形成され、これら空間部１Ｂおよび空間部２Ｂとは連通して空間部４が形成されている。【００１８】３は竹材でできた断面矩形状の楔であり、その厚みは空間部１Ｂの高さＥと空間部２Ｂの高さＥとを加えた程度の大きさで、幅は空間部１Ｂまたは空間部２Ｂにおける幅Ｂと幅Ｃとを加えた程度の大きさであり、長さは凸条片１Ａおよび凸条片２Ａの長さに相当するが、複数個に分割して接続して構成するか、１本のもので構成してもよい。この楔３は空間部４に接着剤にて固着される。例えば、空間部４および楔３の少なくとも一方に前述の接着剤を塗布しておき、上片１の凸条片１Ａと下片２の凸条片２Ａとを図４の矢印Ｐ方向に当接する際に上片１と下片２とを積み重ねると同時に楔３を空間部４に設けて固着される。この場合、上片１の凸条片１Ａと下片２の凸条片２Ａとの接合面にも前述の接着剤を塗布して楔３とともに接着接合するようにしてもよい。或いは、予め、上片１の凸条片１Ａと下片２の凸条片２Ａとの接合面に塗布して上片１の凸条片１Ａと下片２の凸条片２Ａとを接着接合し、空間部４および楔３の少なくとも一方に前述の接着剤を塗布して、上片１と下片２とを積み重ねた状態で、空間部４に楔３を挿着してもよい。何れの場合も、楔３の形状としては、断面形状は矩形以外に円形や多角形でもよい。また、楔３の材料としては、竹材に代えて合成樹脂材や金属材で構成してもよいが、竹材で構成すると、竹材は生育期間のサイクルが短いので、生育期間のサイクルの長い木材でできた楔に比し森林資源の枯渇を防止でき、合成樹脂材や金属材でできた楔に比し、安価でかつ廃棄処理がしやすいなどの点で有利である。【００１９】図９は、上記のように、竹材でできた複数個（この実施形態では６個）の断面矩形状の上片１と下片２とがそれぞれ横並びに並設されて、上片１の上面を竹材の表皮側とし節側の略中央に形成された凸条片１Ａと下片２の下面を竹材の表皮側とし節側の略中央に形成された凸条片２Ａとを当接することによりできた上片１の空間部１Ｂと下片２の空間部２Ｂとが連通した空間部４に断面矩形状の楔３が接着剤にて固着された平坦な竹集成材１００で、上片１の表皮側を上面とした平面図である。なお、この竹集成材１００の横並び方向の一端（図１において左端）には空間部４を残しておいて他の集成材を横並びに増設するようにしておき、他端（図１において右端）には空間部４を形成しないようにすることにより外観のよい集成材を提供するようにしている。【００２０】本考案の楔３を空間部４に挿着する竹集成材の他の実施形態を図５から図８に基づいて以下、説明する。【００２１】（他の実施形態）
図５および図６において、竹を竹繊維に沿って割裂した竹素材５からそれぞれ断面矩形状の上片素材１Ｃおよび下片素材２Ｃを用意して、図７に示す表皮側を上面として内側の節側（以下、節側という）を下面とした上片素材１Ｃと表皮側を下面として内側の節側（以下、節側という）を上面とした下片素材２Ｃとを矢印Ｑ方向に当接させる。この上片素材１Ｃと下片素材２Ｃとの当接に際しては、予め、上片素材１Ｃの下面と下片素材２Ｃの上面の当接面の少なくとも一方に熱硬性を有する環境保全型の尿素樹脂系接着剤や人体に有害な物質の含まれていないフェノール系の接着剤や木工用接着剤などの接着剤を塗布しておき、図８に示すように複数個の上片素材１Ｃと下片素材２Ｃとを接着接合して横並びに並設される。このように、上片素材１Ｃと下片素材２Ｃとを接着剤にて固着した状態で、上片素材１Ｃと下片素材２Ｃとの境界位置において上片素材１Ｃの下面の略中央に凸条片１Ａを残し竹繊維の方向に沿って切除加工されて凸条片１Ａの左右には空間部１Ｂが形成された上片１と、この上片１と対応して下片素材２Ｃの上面の略中央に凸条片２Ａを残し竹繊維の方向に沿って切除加工されて凸条片２Ａの左右には空間部２Ｂが形成された下片２とが構成されて、空間部１Ｂおよび２Ｂとが連通してなる空間部４が形成されている。このように形成された上片１の凸条片１Ａと下片２の凸条片２Ａとは積み重ねた状態となる。この場合、前述の実施形態と同様に、凸条片１Ａと凸条片２Ａとは同じ大きさで、凸条片１Ａおよび凸条片２Ａの幅Ａはその左側の空間部１Ｂおよび空間部２Ｂの幅Ｂと同じであり、右側の空間部１Ｂおよび空間部２Ｂの幅Ｃと同じである。また、凸条片１Ａおよび凸条片２Ａの高さＥは凸条片１Ａおよび凸条片２Ａのそれぞれの空間部１Ｂおよび空間部２Ｂを形成するために切除加工された上片１および下片２における竹材の厚みＤに同じである。この場合、幅Ａ、ＢおよびＣ並びに厚みＤおよび高さＥとの関係は前述の実施形態と同様に一つの実施形態であり、任意の大きさに設定してもよい。このように形成された空間部４に前述の実施形態で示した楔３が接着剤を介して挿着される。この接着剤は前述と同様な接着剤を用い、予め空間部４に面する上片１および下片２に塗布するか、楔３に塗布しておけばよい。【００２２】このようにして、竹材でできた複数個（この他の実施形態では３個）の断面矩形状の上片１が横並びに並設されて図１と同様な竹集成材１００が出来上がる。この場合、前述の実施形態と同様に、竹集成材１００の横並び方向の一端（図８において左端）には空間部４を残しておいて他の集成材を横並びに増設するようにしておき、他端（図８において右端）には空間部４を形成しないようにすることにより外観のよい集成材を提供するようにしている。
【産業上の利用可能性】
【００２３】本考案の竹集成材は、椅子の肘かけ部材、背もたれ部材および座部材、テーブル部材、壁材および床材として有用である。
【図面の簡単な説明】
【００２４】
【図１】  本考案の竹集成材の断面図である。
【図２】  本考案の実施形態で竹材素材から上片を加工する状態を示す断面図である。
【図３】  本考案の実施形態で竹材素材から下片を加工する状態を示す断面図である。
【図４】  本考案の実施形態で一対の上片と下片とを積み重ねる過程を示す断面図である。
【図５】  本考案の他の実施形態で竹材素材から上片素材を加工する状態を示す断面図である。
【図６】  本考案の他の実施形態で竹材素材から下片素材を加工する状態を示す断面図である。
【図７】  本考案の他の実施形態で一対の上片素材と下片素材とを積み重ねる過程を示す断面図である。
【図８】  本考案の他の実施形態で一対の上片素材と下片素材とを積み重ねた状態で楔を挿着するために切除加工した状態を示す断面図である。
【図９】  本考案の竹集成材の平面図である。
【符号の説明】
【００２５】１  上片
２  下片
３  楔
４  空間部
５  竹素材
１００  竹集成材
【図１】
0003149365.tif 000003
【図２】
0003149365.tif 000004
【図３】
0003149365.tif 000005
【図４】
0003149365.tif 000006
【図５】
0003149365.tif 000007
【図６】
0003149365.tif 000008
【図７】
0003149365.tif 000009
【図８】
0003149365.tif 000010
【図９】
0003149365.tif 000011